(57)【要約】【課題】使用者の頭及び上半身に所望の支えを提供する携帯用支持具を提供する。【解決手段】座っている人の頭のための支えを提供するための携帯用支持具は、大きくされた上部枕端部と下部枕端部を有する長尺の枕を備えている。大きくされた上部枕端部を座っている人の肩の上に配置するために、コネクタ構造が設けられている。【選択図】図１
2011520506.tif 000002
【特許請求の範囲】
【請求項１】
座っている人の頭を支えるための携帯用支持具であって、
該携帯用支持具は、
第１の枕端部及び第２の枕端部を有する長尺の枕と
前記第１の枕端部に取り付けられた第１のコネクタ構造と、
前記第２の枕端部に取り付けられた第２のコネクタ構造とを備え、
前記第１の枕端部は前記第２の枕端部よりも大きく、
前記第１のコネクタ構造は、前記第１の枕端部を座席又は前記第２のコネクタ構造のいずれかに択一選択的に連結し、
前記第２のコネクタ構造は、前記第２の枕端部を座席又は前記第１のコネクタ構造のいずれかに択一選択的に連結する
ことを特徴とする携帯用支持具。
【請求項２】
請求項１記載の携帯用支持具において、
前記第１のコネクタ構造は、前記第１の枕端部を座席に連結するために、座席の背もたれの周囲にループを形成するための柔軟な長尺状の紐要素を含むロープを有する
ことを特徴とする携帯用支持具。
【請求項３】
請求項２記載の携帯用支持具において、
前記ロープは、前記柔軟な長尺状のロープ要素を前記座席の背もたれに対して締める又は緩めるために、前記ループのサイズを調節することができる
ことを特徴とする携帯用支持具。
【請求項４】
請求項２記載の携帯用支持具において、
前記柔軟な長尺状の前記ロープ要素は柔軟な紐からなる
ことを特徴とする携帯用支持具。
【請求項５】
請求項２記載の携帯用支持具において、
前記第１の枕端部は、肩係合突出部を有し、該肩係合突出部の外側縁部において内向きに突き出る凹所を形成し、
前記第１のコネクタ構造はさらに、前記凹所にコネクタタブを有し、前記柔軟な長尺状のロープ要素を前記長尺の枕に連結するために前記柔軟な長尺状のロープ要素を収受する孔を画定する
ことを特徴とする携帯用支持具。
【請求項６】
請求項５記載の携帯用支持具において、
前記長尺の枕は湾曲した形状を備え、
前記第１の枕端部を前記座席の背もたれに近接した状態で人の頭及び首に近接して肩の上に維持するために、前記柔軟な長尺状のロープ要素が前記座席の背もたれの周囲にループを形成する際、前記コネクタタブ及び前記柔軟な長尺状のロープ要素は操作可能である
ことを特徴とする携帯用支持具。
【請求項７】
請求項６記載の携帯用支持具において、
前記第１の枕端部は、該第１の枕端部を、前記座席の背もたれに対し、及び人のいずれかの側に択一選択的に配置させることが可能となるように、前記柔軟な長尺状のロープ要素周りに回転可能であり、該柔軟な長尺状のロープ要素に対して摺動可能である
ことを特徴とする携帯用支持具。
【請求項８】
請求項５記載の携帯用支持具において、
前記孔は前記コネクタタブに取り付けられたはとめにより画定される
ことを特徴とする携帯用支持具。
【請求項９】
座っている人の頭を支え、
人に使用される座席の背もたれの上部の角に取り付け可能で，該上部の角から垂れ下がるか、又は人に取り付け可能で，人から垂れ下がる携帯用支持具であって、
該携帯用支持具は、
上部枕端部及び下部枕端部を有する長尺の枕と
調節可能で柔軟な保持部材、及び前記保持部材に取り付けられる間隔をあけて配置される一対の留め具を有する保持構造と、
前記上部枕端部に設けられた第１のコネクタ構造と、
前記下部枕端部に設けられた第２のコネクタ構造とを備え、
前記上部枕端部は前記下部枕端部よりも大きく、
前記保持構造は、前記保持部材が少なくとも部分的に前記上部の角の周囲に巻き付けられて係合する第１の環状形状、又は前記保持部材が人の身体に沿って下方に伸びるとともに，少なくとも部分的に身体を取り囲んで伸びる第２の環状形状のいずれかを択一的に形成するために選択的に調節可能であり、
前記間隔を空けて配置される一対の留め具の両方の留め具は、前記保持部材が前記第１の環状形状にあるときは前記第１のコネクタ構造に取り付けられ、
前記保持部材が前記第２の環状形状にあるときは前記留め具の一方が前記第１のコネクタ構造に取り付けられ，前記留め具の他方が前記第２のコネクタ構造に取り付けられる
ことを特徴とする携帯用支持具。
【請求項１０】
請求項９記載の携帯用支持具において、
前記保持部材は柔軟なストラップからなり、
前記一対の留め具は前記ストラップに取り付けられている
ことを特徴とする携帯用支持具。
【請求項１１】
請求項１０記載の携帯用支持具において、
該携帯用支持具はさらに、
前記柔軟なストラップを解放可能に調節し、前記柔軟なストラップを前記第１の環状形状又は前記第２の環状形状のいずれかの状態に固定するための、前記柔軟なストラップに連結された少なくとも１つの環寸法調節ブラケット
ことを特徴とする携帯用支持具。
【請求項１２】
請求項１０記載の携帯用支持具において、
前記第１のコネクタ構造は少なくとも１つのスナップ留め要素を有し、
前記第２のコネクタ構造は少なくとも１つのスナップ留め要素を有し、
前記ストラップに取り付けられた前記一対の留め具のうちの少なくとも一方は、前記第１及び第２のコネクタ構造のスナップ留め要素のいずれかに択一選択的に係合するストラップスナップ留め要素を構成する
ことを特徴とする携帯用支持具。
【請求項１３】
請求項１２記載の携帯用支持具において、
前記ストラップにはコネクタブラケットが連結され、
前記第１及び第２のコネクタ構造のスナップ留め要素のいずれかに択一選択的に係合する前記ストラップスナップ留め要素は、前記コネクタブラケットに取り付けられるコネクタ片上に配置される
ことを特徴とする携帯用支持具。
【請求項１４】
請求項１２記載の携帯用支持具において、
前記上部枕端部は、肩係合突出部を有し、該肩係合突出部の外側縁部において内向きに突き出る凹所を形成し、
前記第１のコネクタ構造はさらに、前記凹所にコネクタタブを有し、
前記第１のコネクタ構造の前記少なくとも１つのスナップ留め要素は前記コネクタタブ上に配置される
ことを特徴とする携帯用支持具。
【請求項１５】
請求項１４記載の携帯用支持具において、
前記第１のコネクタ構造は一対のスナップ留め要素を含み、
該一対のスナップ留め要素の両スナップ留め要素は、前記コネクタタブの両側に配置される
ことを特徴とする携帯用支持具。
【発明の詳細な説明】
【技術分野】
【０００１】
本願発明は座っている人に支えを提供する枕を有する携帯用支持具に関する。この支持具は、具体的には飛行機，列車，バス又は自動車での旅行時に、人の頭にあてがうために用いられるが、これに限定されるわけではない。この携帯用支持具は、座っている人が頭をよりかからせたい状況において有用である。
【背景技術】
【０００２】
一般的に旅行用携帯枕及びヘッドレストが知られている。これらの道具の中には、座っている人の頭へ横に延びる支えを提供するために、特に座席の背もたれに取り付けるよう考え出されたものもある。
【０００３】
以下の特許文献は、この分野における先行技術の現状を表していると考えられる。
【先行技術文献】
【特許文献】
【０００４】
【特許文献１】米国特許第６，５９２，１８４号（２００３年７月１５発行）
【特許文献２】米国特許出願公開第２００２／０１６３２４０号（２００２年１１月７日公開）
【特許文献３】米国特許出願公開第２００７／００５６１１１号（２００７年３月１５日公開）
【特許文献４】米国特許出願公開第２００７／０１８０６２３号（２００７年８月９日公開）
【特許文献５】米国特許第５，３１７，７７２号（１９９４年６月７日発行）
【特許文献６】米国特許第５，４７１，６９０号（１９９５年１２月５日発行）
【特許文献７】米国特許第５，５４４，３７８号（１９９６年８月１３日発行）
【特許文献８】米国特許第６，６４１，２２１号（２００３年１１月４日発行）
【特許文献９】米国特許第６，６８４，４２９号（２００４年２月３日発行）
【特許文献１０】米国特許第６，７０８，３５５号（２００４年３月２３日発行）
【特許文献１１】米国特許第６，９４２，２９７号（２００５年９月１３日発行）
【特許文献１２】米国特許出願公開第２００７／０２０９１１５号（２００７年９月１３日公開）
【特許文献１３】米国特許第６，０１７，０９４号（２０００年１月２５日発行）
【特許文献１４】米国特許第６，３９４，５５４号（２００２年５月２８日発行）
【特許文献１５】米国意匠登録第Ｄ５２２，３００号（２００６年６月６日発行）
【特許文献１６】米国意匠登録第Ｄ５３４，３８９号（２００７年１月２日発行）
【特許文献１７】英国特許出願第２４４０  ９０６号（２００８年２月２０日公開）
【発明の概要】
【発明が解決しようとする課題】
【０００５】
本発明は、座っている人の頭及び上半身に所望の支えを提供することをその課題とする。
【課題を解決するための手段】
【０００６】
本発明の携帯用支持具は公知の先行技術によって教示も示唆もされない多くの特有の特徴を包含し、これによって携帯用支持具の使い易さや多様性が高まる。本発明のある実施形態によると、所望の支えを提供するために、携帯用支持具は、座席の背もたれに連結されるか又は人によって身に付けられるかのいずれかとなり得る。この携帯用支持具は、比較的単純で使用が容易であることを特徴とする。使用者の頭及び上半身に所望の支えを提供するために、座席及び／又は人の身体に対する携帯用支持具の位置は容易に調整できる。
【０００７】
携帯用支持具は第１及び第２の枕端部を有する長尺の枕を備え、この第１の枕端部は第２の枕端部よりも大きい。
【０００８】
第１のコネクタ構造が第１の枕端部に取り付けられ、第２のコネクタ構造が第２の枕端部に取り付けられる。本発明の実施形態においては、第１のコネクタ構造は、第１の枕端部を直接座席又は第２のコネクタ構造のいずれかに択一選択的に連結するためのものであり、第２のコネクタ構造は、第２の枕端部を直接座席又は第１のコネクタ構造のいずれかに択一選択的に連結するためのものである。以下においてより詳細に理解されるように、これらのコネクタ構造の構成により携帯用支持具を座席の背もたれに取り付ける物として使用することができるし、あるいは座席に連結させずに座っている人によって身に付けられ又は担持されることが可能である。
【０００９】
本発明の別の実施形態は、座席の背もたれに取り付けること無く、座っている人による使用にのみ用いられる。
【００１０】
以下の記載及び添付図面を参照すると、この他の本願発明の特徴，利点及び目的が明らかとなるであろう。
【発明の効果】
【００１１】
本願発明により、座席及び／又は人の身体に対する位置を容易に調整できる携帯用支持具を提供することができる。
【図面の簡単な説明】
【００１２】
【図１】図１は本発明の教示に従って構成された携帯用支持具の正面図である。
【図２】図２は携帯用支持具の背面図である。
【図３】図３は、図１に両矢印３‐３で示された、携帯用支持具の吸／排気口の構造を示す拡大斜視図である。
【図４】図４は図３と同様の図面であるが、吸気口の構造の閉じた状態の封止栓と、伸びていない状態に移行された吸／排気口の構造の吸／排気管を示している。
【図５】図５は、座っている人の頭に接した状態に配置され、人の胸に交差して下方に伸びる携帯用支持具を示す斜視図である。
【図６】図６は、人に身に付けられ、一方が実線で，他方が破線で表された２つの選択可能な位置で示された携帯用支持具を示す斜視図である。
【図７】図７は、図６に示される人の背中側から見た図面であり、携帯用支持具は実線位置において示されている。
【図８】図８は、図６において両矢印８‐８で示された、携帯用支持具の一部の拡大斜視図である。
【図９】図９は図５と同様の図面であるが、座席の背もたれ及びシートベルトに直接連結された携帯用支持具を示している。
【図１０】図１０は座席の背もたれと携帯用支持具の一部分の斜視図であり、紐で座席の背もたれに取り付けられる過程における携帯用支持具が示されている。
【図１１】図１１は、図１において両矢印１１‐１１で示された、携帯用支持具の一部を示す拡大図であり、紐及び紐の固定部材の詳細を示している。
【図１２】図１２は、枕の下部端部をシートベルトに取り付けるために用いられる第２の又は下部コネクタストラップを示す斜視図である。
【図１３】図１３は、座席の周囲に伸びる柔軟な紐を備える座席の背もたれの斜視図である。
【図１４】図１４は、第２のコネクタ構造のストラップによって旅行鞄の一部に固定された、潰れた状態の携帯用支持具を示す図である。
【図１５】図１５は、本発明の別の実施形態を示す図１と同様の図である。
【図１６】図１６は、本発明の教示に従って構成された携帯用支持具を含む別の実施形態の正面図であり、第１の環状形状を形成するために、調節可能で柔軟な保持部材を上部枕端部に単独で取り付ける前の図面である。
【図１７】図１７は図１６と同様の図面であるが、第２の環状形状を形成するために、調節可能で柔軟な保持部材を上部及び下部枕端部の両方に取り付ける前の図面である。
【図１８】図１８は携帯用支持具の選択された部分を示す斜視図であり、携帯用支持具はシートベルトに連結されている。
【図１９】図１９は保持部材によって座席の背もたれの上部の角に取り付けられた上部枕部を示す斜視図であり、保持部材が第１の環状形状を形成している。
【図２０】図２０は、保持部材が適切な場所に配置された状態の背もたれ上部の角の背面側を示す斜視図である。
【図２１】図２１は、上部枕端部において２つのスナップ留め要素に固定された柔軟な保持部材の２つのスナップ留め要素を示す拡大断面図である。
【図２２】図２２は人に身に付けられた携帯用支持具を示す正面斜視図であり、柔軟な保持部材が第２の環状形状を形成している。
【図２３】図２３は、図２１に示される携帯用支持具を身に付けた人の背中側から見た図面である。
【発明を実施するための形態】
【００１３】
図１から１４を参照すると、本願発明の教示に従って構成された携帯用支持具が符号１０で示されている。携帯用支持具１０は長尺の枕１２を備えており、この長尺の枕１２は、図示の構成において、柔軟性のある材料から構成され、（例えば図１４に示すような）潰れた状態から、残りの図面に示されるような膨らんだ状態に膨らませることができる。枕に空気を入れる、あるいは枕から空気を抜くために、従来の適切な手段が利用され得る。図３は吸排気を目的として用いられ得る吸／排気管１４を示しており、吸／排気管１４をシールするために封止栓１６が用いられる。図３は伸びた状態の吸／排気管１４と開いた状態の封止栓１６を示し、図４は枕の中へ引っ込められた状態の吸／排気管１４と吸／排気管１４を封止した状態の封止栓１６を示している。
【００１４】
長尺の枕１２は、上部又は第１の枕端部１８と、下部又は第２の枕端部２０を有する。第１の枕端部１８は第２の枕端部２０よりも大きく、枕は第２の枕端部２０に向かうにつれて細くなっている。さらに、図に示すように、長尺の枕１２は湾曲した形状を有し、上部又は第１の枕端部１８は横方向に突出している。以下に論ずる理由により、枕全体の高さ（長さ）は７１．１２センチ（２８インチ）程度が適切である。
【００１５】
第１の枕端部１８は、その外縁において、より詳細には第１の枕端部１８の外側に突出した肩係合突出部２６において、内向きに突き出る凹所２４を形成する。
【００１６】
凹所２４内には平らなコネクタタブ２８があり、このコネクタタブ２８に取り付けられたはとめ３０が孔３２を画定する。図１１を参照されたい。図１１に詳細に示されるように、孔３２は、二重にされてはとめ３０の孔３２を通される、調節可能で柔軟な長尺状の紐３４の形をしたロープと協働する。動かないように固定しない限り、両矢印で示すように紐３４をはとめ３０内で摺動させることができる。叉のある固定部材３６の形をした固定部材が用いられており、孔３２内の紐３４と係合するように押されると、選択的に紐３４と係合して紐３４の移動を妨げる。
【００１７】
図９，１０，１３に示すように、紐３４は、飛行機の乗客用座席などの座席に対して上部枕端部１８を一定の位置に保つために、座席の背もたれ３８の周囲に巻き付けられる。膨らんだ状態の枕全体の高さを約７１．１２センチ（２８インチ）にすることにより、後部座席の乗客が使用するために背もたれに備え付けられた折り畳み式のトレーテーブル及びいかなる内蔵式電子機器（図示せず）と干渉しないように、紐を飛行機の座席の背もたれにあらかじめ配置することができる（図１３参照）。この７１．１２センチ（２８インチ）という高さは、平均的なサイズの人の座っている間の胴体のおおよその高さと合致する。
【００１８】
上記の通り、肩係合突出部２６が横方向において背もたれの所望の位置に移動できるように、枕は紐３４に沿って摺動し得る。図９は、上部枕端部１８の突出部２６が、乗客の左肩を覆うように配置されてこれと係合している状態を示しており、乗客の頭が枕１２と係合すると、枕１２は乗客の左側にいくぶん傾く。あるいは、乗客が頭を右側に傾け、その向きで休みたい場合には、上部枕端部１８は座席に対して紐３４にそって摺動可能であり、乗客の右肩を覆うように配置され得る。枕の人間工学的形状により、座席の背もたれに枕の上部をしっかりと縛り付けることができ、さらに、枕が人の脇に沿って又は胸と交差するように位置付けられるように、人の肩及び胴体に適合するように形作られた形状を供給することができる。後者の場合（交差する場合）の位置を図５に示す。コネクタタブ２８は、不快感を引き起こし得るはとめ，固定部材，紐と使用者の頭や首との接触を防ぐため、凹所２４内のコネクタタブ２８の特性は重要である。
【００１９】
図９において、下部又は第２の枕端部２０を座席に連結するための座席の部品を構成するシートベルト４４に下部枕端部２０を連結するために、携帯用支持具１０の第２のコネクタ構造が用いられている。第２のコネクタ構造は柔軟なストラップ４６の形をしており、このストラップ４６は、枕１２が使用者の身体に沿って係合した状態を維持することを目的としてストラップ４６と下部枕端部２０を座席に連結するために、（図１２に示すように）シートベルトの周りに巻き付けられ得る。ストラップ４６は、下部枕端部２０の位置を調節するために、シートベルトに沿って摺動することができる。ストラップの長さは最低でも２５．４センチ（１０インチ）であるのが好ましい。柔軟なストラップを適切な場所においてシートベルトを取り囲んで固定し、睡眠中にさらなる支持を提供するために、従来のスナップ留め要素４８が用いられてもよい。さらにスナップ留め要素４８は、長尺の枕１２を便利に収納するために、空気が抜かれて巻かれた状態の長尺の枕１２を旅行鞄のハンドル５０（図１４参照）や他の物体に固定し収容する手段を提供する。
【００２０】
長尺の枕１２を座席の背もたれに縛り付け、シートベルトに取り付けるためにスナップ留め要素４８を用いるよりもむしろ、図８に示されるように、柔軟な紐３４及び柔軟なストラップ４６を一緒に繋げてもよい。ストラップ４６と紐３４を一緒に繋げることにより閉じた環状の形状となり、これにより、図５，６，７に示すように基本的に人が携帯用支持具１０を身に付けることが可能となる。紐３４とストラップ４６を一緒に繋げると、携帯用支持具１０は閉ざされた空間を形成する。この空間は人の上半身を収容するのに十分な大きさとなっている。長尺の枕１２が人の胸の脇に沿って又は交差するいずれかの状態で肩より上の位置から下方に伸びた状態で、携帯用支持具１０は上半身を取り囲み、人の肩の上の位置から伸張する。後者の（交差する）状態については図５から７に示す。図６には、肩と係合する突出部２６を用いて、上部又は第１の枕端部１８を使用者の希望に応じてどちらの肩の上にも配置できることが破線を用いて示されている。
【００２１】
図１５には本願発明の別の実施形態１０Ａが示されており、長尺の枕１２Ａが上部枕端部にあるコネクタタブ２８Ａだけでなく、下部又は第２の枕端部２０Ａから伸びる第２のコネクタタブ６０を含んでいる。ストラップ部６２がコネクタタブ２８Ａから伸びており、ストラップ部６４はコネクタタブ６０から伸びている。図示の構成においては、ストラップ部６２の長さは調節可能である。ストラップ部を一緒に固定するために、ストラップ部６２上の従来のスナップ留め要素６６、及びストラップ部６４に調節可能に取り付けられた従来のスナップ留め要素又はバックル要素６８が用いられる。特にこの実施形態は、人が身に付けることができ、ヘッドレスト及び／又は身体支持具を提供するために、適切な位置に枕を配置するように人の肩から垂らして掛けることができる。
【００２２】
枕、並びにコネクタタブ及び柔軟なコネクタストラップのような携帯用支持具の他の要素は、例えば熱接着又は超音波接着によって形成され得る。適切な材料の１つにフロック（短繊維）化されたポリ塩化ビニルが挙げられる。枕は、必要に応じて、多くのエアマットレスで使われているような積層布材から形成され得る。また、枕は任意の適切なタイプのクッション材を充填され得る。
【００２３】
図１６から２３を参照すると、本願発明の教示に従って構成された別の携帯用支持具が符号１１０によって示されている。携帯用支持具１１０は長尺の枕１１２を有しており、本構成において、長尺の枕１１２は柔軟性のある材料で構成され、潰れた状態（図示せず）から複数の図に示すような膨らんだ状態に膨らませることが可能である。枕１１２に空気を入れあるいは枕１１２から空気を抜くために、従来の適切な手段が用いられ得る。
【００２４】
長尺の枕１１２は上部又は第１の枕端部１１８及び下部又は第２の枕端部１２０を有する。上部枕端部１１８は下部枕端部１２０よりも大きくなっており、枕１１２は下部枕端部１２０向かうにつれて細くなっている。さらに、図に示すように、長尺の枕１１２は湾曲した形状を有し、上部枕端部１１８は横方向に突出している。
【００２５】
上部枕端部１１８は、その外縁において、より詳細には上部枕端部１１８の外側に突出した肩係合突出部１２６において、内向きに突き出る凹所１２４を形成する。
【００２６】
凹所１２４内には平らなコネクタタブ１２８が存在する。２つの雄のスナップ留め要素（ｇｙｐｓｙ  ｓｔｕｄｓ）１３０が互いに反対向きで配置され（図２１参照）、コネクタタブの両側に取り付けられている。同時に、コネクタタブ１２８とスナップ留め要素１３０は第１のコネクタ構造を構成する。
【００２７】
第２のコネクタ構造は、前記下部枕端部１２０に位置しており、下部枕端部１２０から下方に延びる柔軟な下部ストラップ１３４に配置されたジプシースタッド（ｇｙｐｓｙ  ｓｔｕｄｓ）又は雄のスナップ留め要素１３２の形となっている。第２のスナップ留め要素１３６は下部ストラップ１３４の先端部に配置されている。
【００２８】
携帯用支持具はまた、調節可能な柔軟なストラップ１４０と、間隔を空けた位置においてストラップ１４０に取り付けられる一組の雌のスナップ留め要素１４２，１４４とを含む保持構造を有する。ストラップ１４０はナイロンのような適切な材料で形成され得る。スナップ留め要素１４２はストラップのいずれかの端部近傍に取り付けられる。ラダーバック型の留め金又はブラケット１４８が、ストラップ１４０の他端に縫合又は別の方法で取り付けられる。
【００２９】
Ｄ字の環状ブラケット１４６がストラップ１４０上に配置されており、このブラケット１４８は、協働し得る（ｃｏｏｐｅｒａｂｌｅ）雄／雌のコネクタ（図示せず）のような適切な手段で、その両端において結合された柔軟なコネクタ片１５０を収受する。雌のスナップ留め要素１４４がコネクタ片１５０上に配置され、そこから外側に突出している。
【００３０】
柔軟なストラップ１４０の有効長さは第１の環状の形状を形成するために容易に調節されることができ、ストラップ１４０は飛行機の乗客用座席のような座席の背もたれの上部の角に部分的に巻き付けられ、これに係合し、座席及び乗客に対して上部枕端部１１８を一定の位置に保持する。この環状の形状は図１６，１９，２０に示されている。ラダーバック型の留め金１４６がストラップ１４０とループ長さの調節を可能とし、所望の長さに調節されると解放可能に固定する役目をする。この環状の形状において、スナップ留め要素１４２，１４４はスナップ留め要素１３０に取り付けられる。
【００３１】
下部枕端部１２０から下方に伸びる柔軟な下部ストラップ１３４は、座席の一部分を構成するシートベルト１６０に下部枕端部１２０を連結するために用いられる（図１８参照）。柔軟な下部ストラップ１３４は、枕１１２が使用者の身体に沿って係合した状態を維持することを目的として下部ストラップ１３４と下部枕端部１２０を座席に連結するために、（図１８に示すように）シートベルト１６０の周りに巻き付けられ得る。ストラップ１３４は、下部枕端部１２０の位置を調節するために、シートベルト１６０に沿って摺動することができる。スナップ留め要素１３６は、柔軟なストラップ１３４を適切な場所においてシートベルト１６０を取り囲んで固定し、睡眠中にさらなる支持を提供するために、下部枕端部１２０上に配置されるスナップ留め要素１６２に取り付けられ得る。
【００３２】
長尺の枕１１２を座席の背もたれの上部の角に固定するために柔軟なストラップ１４０を使用し、シートベルト１６０に取り付けるために下部ストラップ１３４を用いるよりもむしろ、保持部材を第２の環状形状にすることが可能である。これにより、図２２，２３に示すように、基本的に携帯用支持具１１０を人が身に付けることが可能となる。雌のスナップ留め要素１４２が雄のスナップ留め要素１３０のうちの一方に嵌められ、雌のスナップ留め要素１４４が雄のスナップ留め要素１３２に取り付けられると、携帯用支持具１１０は閉ざされた空間を形成する。図２１を参照されたい。この空間は人の上半身を収容するのに十分な大きさとなっている。携帯用支持具１１０は、長尺の枕１１２が人の胸の脇に沿って又は交差するいずれかの状態で肩より上の位置から下方に伸びた状態で、上半身を取り囲み、人の肩より上の位置から伸張する。上部又は第１の枕端部１１８は、突出部１２６が肩に係合した状態で、使用者の希望に応じてどちらの肩の上にも配置され得る。
【００３３】
上述の実施形態は本発明の原理を説明することを意図したものであるが、この範囲に限定することを意図していない。当業者にとって他の実施形態やこれらの実施形態に対する変形は明らかであろう。また、本発明の趣旨及び範囲から逸脱することなく、他の実施形態やこれらの実施形態に対する変形が行われ得る。
【符号の説明】
【００３４】
１０  携帯用支持具
１２  長尺の枕
１４  給／排気管
１６  封止栓
１８  第１の枕端部
２０  第２の枕端部
２４  凹所
２６  肩係合突出部
２８  コネクタタブ
３０  はとめ
３２  孔
３４  紐
３６  固定部材
４８  スナップ留め要素
【図１】
2011520506.tif 000003
【図２】
2011520506.tif 000004
【図３】
2011520506.tif 000005
【図４】
2011520506.tif 000006
【図５】
2011520506.tif 000007
【図６】
2011520506.tif 000008
【図７】
2011520506.tif 000009
【図８】
2011520506.tif 000010
【図９】
2011520506.tif 000011
【図１０】
2011520506.tif 000012
【図１１】
2011520506.tif 000013
【図１２】
2011520506.tif 000014
【図１３】
2011520506.tif 000015
【図１４】
2011520506.tif 000016
【図１５】
2011520506.tif 000017
【図１６】
2011520506.tif 000018
【図１７】
2011520506.tif 000019
【図１８】
2011520506.tif 000020
【図１９】
2011520506.tif 000021
【図２０】
2011520506.tif 000022
【図２１】
2011520506.tif 000023
【図２２】
2011520506.tif 000024
【図２３】
2011520506.tif 000025
【国際調査報告】
2011520506.tif 000026